(57)【要約】【課題】コネクタに多数の同軸ケーブルを取り付ける場合において、コネクタと同軸ケーブルとの半田による接続を不要にすることで、同軸ケーブルへの半田上がりを防止する。【解決手段】同軸ケーブルが取り付けられるハウジング７と、このハウジング内に前記複数の同軸ケーブル３００の先端部３００ａのうちの少なくとも一部を保持するケーブル保持具１０とを備え、このケーブル保持具は、前記同軸ケーブルを横断状に交差する状態で前記ハウジング７に配置され、その横断面形状は逆Ｕ字状であるとともに当該逆Ｕ字状にされたことにより対向する対向壁１０ａ、１０ｂは櫛形状になるように櫛歯状部２６が形成され、一方の壁１０ａにおける櫛歯状部同士の間に同軸ケーブル３００の前記外部導体を挟み込んで挟持し、他方の壁１０ｂの櫛歯状部同士の間に同軸ケーブル３００の前記外部絶縁体を挟み込んで挟持し、当該挟持状態で前記複数の同軸ケーブル３００を前記ハウジングに固定することを特徴とする同軸ケーブル用コネクタ１。【選択図】図５
2005209613.tif 000002
【特許請求の範囲】
【請求項１】
内部導体（３０２）を内部絶縁体（３０４）で被覆してなる信号線（３０６）と、
この信号線を被覆する外部導体（３０８）と、
この外部導体を被覆する外部絶縁体（３１０）とを含む同軸ケーブル（３００）が複数取り付けられる同軸ケーブル用コネクタ（１）であって、
前記同軸ケーブル（３００）が取り付けられるハウジング（７）と、
このハウジング（７）に保持され、前記同軸ケーブル（３００）の内部導体（３０２）に接するコンタクト（２１）と、
ハウジング（７）内に配置されかつ前記同軸ケーブル（３００）の先端部（３００ａ）のうちの少なくとも一部を保持するケーブル保持具（１０）とを備え、
このケーブル保持具（１０）は、前記複数の同軸ケーブル（３００）を横断状に交差して前記ハウジング（７）に固定されるとともに、前記ケーブル（３００）の延長方向に直列されて対向関係にある一方の壁（１０ａ）と他方の壁（１０ｂ）とを有し、前記一方の壁（１０ａ）には前記同軸ケーブル（３００）の外部導体（３０８）を保持する保持部（２８）が形成され、前記他方の壁（１０ｂ）には前記同軸ケーブル（３００）の外部絶縁体（３１０）を保持する保持部（２９）が形成されている同軸ケーブル用コネクタ（１）。
【請求項２】
前記一方の壁（１０ａ）及び前記他方の壁（１０ｂ）はそれぞれ複数の櫛歯状部（２６）を有する櫛形状にされ、前記一方の壁（１０ａ）における櫛歯状部間のスリット（２８）と他方の壁（１０ｂ）における櫛歯状部間のスリット（２９）を前記保持部とすることを特徴とする請求項１に記載の同軸ケーブル用コネクタ（１）。
【請求項３】
前記ケーブル保持具（１０）は良導性を有し、前記ハウジング（７）のうち当該ケーブル保持具（１０）が配置される箇所には、導電性に優れた良導体（１９）が設けられていることを特徴とする請求項２に記載の同軸ケーブル用コネクタ（１）。
【請求項４】
前記一方の壁（１０ａ）及び他方の壁（１０ｂ）の、前記櫛歯状部（２６）の先端部（２６ａ）は、櫛歯状部（２６）の他の部位（２６ｂ）よりも幅広で、前記一方の壁（１０ａ）の隣り合う先端部（２６ａ）間の隙間は、前記同軸ケーブル（３００）の外部導線（３０８）の外径寸法以下であり、前記他方の壁（１０ｂ）の隣り合う先端部（２６ａ）間の隙間は、前記同軸ケーブル（３００）の外部絶縁体〈３１０）の外径寸法以下であり、前記ハウジング（７）及び前記良導体（１９）には、それぞれ前記一方の壁（１０ａ）及び他方の壁（１０ｂ）に係る前記櫛歯状部（２６）が貫通され且つ当該櫛歯状部（２６）の前記先端部（２６ａ）と係止する貫通孔（２２，１９ａ）が形成されていることを特徴とする請求項３に記載の同軸ケーブル用コネクタ（１）。
【請求項５】
前記一方の壁（１０ａ）に係るスリット（２８）の幅寸法は前記同軸ケーブル（３００）の外部導線（３０８）の外径寸法以下であり、前記他方の壁（１０ｂ）に係るスリット（２９）の幅寸法は前記同軸ケーブル（３００）の外部絶縁体（３１０）の外径寸法以下であることを特徴とする請求項２乃至４記載の同軸ケーブル用コネクタ（１）。
【請求項６】
前記一方の壁（１０ａ）及び前記他方の壁（１０ｂ）がそれぞれ有する複数の櫛歯状部（２６）は、それらの先端部（２６ａ）が相互に相手側の壁側に対して近づくように又は遠ざかるように折り曲げられていることを特徴とする請求項４又は５記載の同軸ケーブル用コネクタ（１）。
【請求項７】
前記一方の壁（１０ａ）及び前記他方の壁（１０ｂ）がそれぞれ有する複数の櫛歯状部（２６）は、それらの先端部（２６ａ）が相互に相手側の壁側に対して互い違いに近づく
ように又は遠ざかるように折り曲げられていることを特徴とする請求項４又は５記載の同軸ケーブル用コネクタ（１）。
【請求項８】
前記ケーブル保持具（１０）は、その横断面形状が、対向辺の一端で結合され他端で開放されたＶ字又はＵ字形とされていることを特徴とする請求項６又は７記載の同軸ケーブル用コネクタ。
【請求項９】
内部導体（３０２）を内部絶縁体（３０４）で被覆してなる信号線（３０６）と、この信号線（３０６）を被覆する横巻き状又は網状の外部導体（３０８）と、この外部導体（３０８）を被覆する外部絶縁体（３１０）とを含む同軸ケーブル（３００）が複数取り付けられる同軸ケーブル用コネクタ（１）に使用され、このコネクタのハウジング（７）に前記同軸ケーブル（３００）を保持するためのケーブル保持具（１０）であって、
このケーブル保持具（１０）は、前記同軸ケーブル（３００）を横断状に交差して前記ハウジング（７）に固定されるとともに、前記同軸ケーブル（３００）の延長方向に直列されて対向関係にある一方の壁（１０ａ）と他方の壁（１０ｂ）とを有し、前記一方の壁（１０ａ）には前記同軸ケーブル（３００）の外部導体（３０８）を保持する保持部（２８）が形成され、前記他方の壁（１０ｂ）には前記同軸ケーブル（３００）の外部絶縁体（３１０）を保持する保持部（２９）が形成されていることを特徴とする同軸ケーブル用コネクタのケーブル保持具（１０）。
【請求項１０】
前記一方の壁（１０ａ）及び前記他方の壁（１０ｂ）は複数の櫛歯状部（２６）を有する櫛形状にされ、これらの櫛歯状部間のスリット（２８，２９）を前記保持部とすることを特徴とする請求項９に記載の同軸ケーブル用コネクタのケーブル保持具（１０）。
【発明の詳細な説明】
【技術分野】
【０００１】
本発明は同軸ケーブル用コネクタ及びケーブル保持具に関する。
【背景技術】
【０００２】
携帯電話機やパーソナルコンピュータ等、多量の情報を伝達するために高い周波数の信号を伝達するケーブルとして、同軸ケーブルが用いられることが多い。
図１７，図１８に同軸ケーブルの一例を示す。同軸ケーブル３００は、周知のごとく中心に位置する内部導体３０２を内部絶縁体３０４で被覆してなる信号線３０６と、信号線３０６を被覆する多数の電線を横巻き状又は網状にしてなる外部導体３０８と（本明細書では網状のものを図示してある。）、この外部導体３０８を被覆する外部絶縁体３１０とからなる。
【０００３】
このような構成の同軸ケーブル３００をコネクタに接続する場合、半田付け方式、圧接方式その他の方式が採用されるが、いずれの方式でも内部絶縁体３０４及び外部絶縁体３１０を除去してそれらに被覆されている内部導体３０２及び外部導体３０８をコネクタのコンタクトと電気的に接続させるためにある程度露出する必要がある。よって、それだけ手間がかかる。
【０００４】
図１９は、半田付け方式により、同軸ケーブル３００をコネクタに接続する場合を示すものであるが、当該接続を行うにあたり外部絶縁体３１０及び内部絶縁体３０４を剥ぎ、外部導体３０８及び内部導体３０２を露出後、外部導体３０８を紐状に撚って、内部導体３０２及び外部導体３０８をそれぞれコネクタのコンタクト３１２，３１２へ半田付けしなければならない。なお符号Ｈは半田部分を意味する。
【０００５】
さらに、近年コネクタの多極化が進み、コネクタに多数のコンタクトを有するとともに、多数の同軸ケーブル３００から形成されたフラットケーブルを用いることが多くなっている。ここで、上記のような半田付け方式によってフラットケーブルをコンタクトへ取り付けるようにすると、同軸ケーブル３００の数の増加に対応してコネクタと同軸ケーブルとの組付工数が増加するという問題がある。
【０００６】
また、半田付け方式では、半田量の違いによって同軸ケーブル３００毎の特性に差が生じ、同軸ケーブル３００の性能が均一化しないという問題もある。さらに、使用される同軸ケーブルが多数であるにも拘わらず、携帯機器にしろパーソナルコンピュータにしろ、一層の軽薄短小化傾向にあり、それ故従来通りのコネクタと同軸ケーブルとの接続技術では自ずと限界があった。
【０００７】
そこで図２０に示すように、横並びにされた複数の同軸ケーブル３００の外部導体３０８を金属板３１４，３１４で挟持して半田付けし、当該一対の金属板３１４，３１４を複数ある同軸ケーブル３００の共通グランドにする技術がある。なお、金属板３１４，３１４をグランドバーという。また図２０において符号３０１はコネクタを示す。
【０００８】
しかし、当該手法による場合でも同軸ケーブル３００とグランドバー３１４とを半田付けする必要が依然ある。そして、外部導体３０８を構成する電線に半田が吸い上げられるいわゆる半田上がりを生じると、外部導体３０８が硬化してしまうという問題がある。電線がフレキシブルでないと、同軸ケーブルがフレキシブルでなくなるため、同軸ケーブルの引き回しに支障が出たり、携帯機器内部の狭いスペースに同軸ケーブルを配置するのが困難となり、使い勝手が悪い。また、電線の硬化箇所に必要以上に外力が加わると、半田
部分に亀裂を生じてしまう虞がある。特に近年の携帯機器では機器を半分に折り畳むことでコンパクト化を図れるようにしたものが主流であるため、当該機器を折り畳むのに必要なヒンジ部分に配置されている電線にまで半田上がりによる硬化現象が生じてしまうと、携帯機器の開閉がしづらくなったり、接触不良を招来する虞がある。
【０００９】
このような半田付け方式による同軸ケーブル用コネクタへの接続技術は、自動化が進んだ今日であっても完全なる自動化は難しく、手作業による場合も少なくない。特に導体の直径が０．５ｍｍ以下の極細線同軸ケーブルにあってはさらに高度の組み立て技術が要求される。
【００１０】
また、グランドバーは二枚一組であるからその管理も面倒である。
【特許文献１】特開２０００−２６０４９７
【特許文献２】特開平１１−２６０４３９
【特許文献３】特開平１１−２６０４４０
【発明の開示】
【発明が解決しようとする課題】
【００１１】
本発明はこのような実情に鑑みて為されたものであり、その解決しようとする課題は、コネクタに多数の同軸ケーブルを取り付ける場合において、コネクタと同軸ケーブルとの半田による接続を不要にすることで、同軸ケーブルへの半田上がりを防止し、もって同軸ケーブルの構成要素である電線の硬化を防止できる、同軸ケーブルのコネクタへの取り付け技術を提供することにある。
【課題を解決するための手段】
【００１２】
そこで、本発明では、次の手段を採用した。
【００１３】
（１）すなわち、本発明のコネクタは、内部導体を内部絶縁体で被覆してなる信号線と、この信号線を被覆する外部導体と、この外部導体を被覆する外部絶縁体とを含む同軸ケーブルが複数取り付けられる同軸ケーブル用コネクタであって、前記同軸ケーブルが取り付けられるハウジングと、このハウジングに保持され、前記同軸ケーブルの内部導体に接するコンタクトと、ハウジング内に前記同軸ケーブルの先端部のうちの少なくとも一部を保持するケーブル保持具とを備え、このケーブル保持具は、前記同軸ケーブルを横断状に交差して前記ハウジングに固されるとともに、前記ケーブルの延長方向に直列されて対向関係にある一方の壁と他方の壁とを有し、前記一方の壁には前記同軸ケーブルの外部導体を保持する保持部が形成され、前記他方の壁には前記同軸ケーブルの外部絶縁体を保持する保持部が形成されていることを特徴とする。
【００１４】
本発明のコネクタによれば、同軸ケーブルをハウジングにケーブル保持具で保持するので、同軸ケーブルをハウジングに取り付けるのに半田を必要としない。
【００１５】
よって同軸ケーブルは十分に柔軟性を保ったままであるから、携帯機器の組み付け時において同軸ケーブルの引き回しが楽であり、携帯機器内部の狭いスペースであっても同軸ケーブルの配線が容易になる。また、折り畳み形式の携帯機器のヒンジ部分に同軸ケーブルが位置しても同軸ケーブルは柔軟である。
【００１６】
ケーブル保持具は、前記同軸ケーブルを横断状に交差して前記ハウジングに固定されるとともに、前記ケーブルの延長方向に直列されて対向関係にある一方の壁と他方の壁とを有するので、このようなケーブル保持具で同軸ケーブルを保持するとケーブルはその長手方向に対して生じる力に対して強くなる。よって、ケーブルの抜け防止に有効である。また、前記一方の壁に形成される保持部は前記同軸ケーブルの外部導体を保持し、前記他方
の壁に形成される保持部は前記同軸ケーブルの外部絶縁体を保持するので、ケーブル保持具は、同軸ケーブルの電気的接続ばかりでなく機械的接続も行えるといえる。よって半田付け不要である。
【００１７】
（２）前記一方の壁及び前記他方の壁はそれぞれ複数の櫛歯状部を有する櫛形状にされ、前記一方の壁における櫛歯状部間のスリットと他方の壁における櫛歯状部間のスリットを前記保持部とすることも考えられる。
【００１８】
スリットは細い隙間のことであるから、当該隙間が上記のように同軸ケーブルの外部導体の外径寸法や外部絶縁体の外径寸法以下であれば、スリットと当該スリットと対応関係にある同軸ケーブルの各部位とを嵌合すれば、両者の嵌め合いはしまり嵌めになって同軸ケーブルが一方の壁及び前記他方の壁に固定され、その抜けを有効に防止する。
【００１９】
（３）前記ケーブル保持具は良導性を有し、前記ハウジングにはこのケーブル保持具が配置され、前記ハウジングのうち当該ケーブル保持具が配置される箇所には、導電性に優れた良導体が設けられると好適である。
【００２０】
良導性を有するケーブル保持具は、同軸ケーブルの外部導体を保持するので、ケーブル保持具と同軸ケーブルの外部導体との間で通電する。また、ハウジングのうち当該ケーブル保持具が配置される箇所には、導電性に優れた良導体が設けられているため、同軸ケーブルの外部導体に流れる電気はケーブル保持具やハウジングの良導体を介してグランドとなる。
【００２１】
（４）前記一方の壁及び他方の壁の、前記櫛歯状部の先端部は、櫛歯状部の他の部位よりも幅広で、前記一方の壁の隣り合う先端部間の隙間は、前記同軸ケーブルの外部導線の外径寸法以下であり、前記他方の壁の隣り合う先端部間の隙間は、前記同軸ケーブルの外部絶縁体の外径寸法以下であり、前記ハウジング及び前記良導体には、それぞれ前記一方の壁及び他方の壁に係る前記櫛歯状部が貫通され且つ当該櫛歯状部の前記先端部と係止する貫通孔が形成されていることを特徴とする。
【００２２】
櫛歯状部を貫通穴に入れると、櫛歯状部の幅広の先端部が貫通穴に無理入れされて係止し、そこから抜けでなくなるため、ケーブル保持具がハウジングに対して有効に取り付けられる。同時に複数の同軸ケーブルが同軸ケーブル用コネクタ１に一度に接続される。
前記各櫛歯状部の先端部間の隙間が上記のように同軸ケーブルの外部導体の外径寸法や外部絶縁体の外径寸法以下ならば、櫛歯状部の先端部間にできる隙間と、当該隙間と対応関係にある同軸ケーブルの各部位とを嵌合することにより、両者の嵌め合いは、しまり嵌めになって同軸ケーブルが一方の壁及び前記他方の壁に固定され、その抜けを有効に防止する。
【００２３】
（５）前記一方の壁に係るスリットの幅寸法を前記同軸ケーブルの外部導線の外径寸法以下であり、前記他方の壁に係るスリットの幅寸法を前記同軸ケーブルの外部絶縁体の外径寸法以下であるとよい。
スリットは、細い隙間のことであるから、当該隙間が上記のように同軸ケーブルの外部導体の外径寸法や外部絶縁体の外径寸法以下であれば、これらのスリットと、当該スリットと対応関係にある同軸ケーブルの各部位とを嵌合すれば、両者の嵌め合いはしまり嵌めになって同軸ケーブルが一方の壁及び前記他方の壁に固定され、その抜けを有効に防止される。
【００２４】
（６）前記一方の壁及び前記他方の壁がそれぞれ有する前記複数の櫛歯状部は、それらの先端部が相互に相手側の壁側に対して近づくように又は遠ざかるように折り曲げたもの
が考えられる。
【００２５】
（７）前記一方の壁及び前記他方の壁がそれぞれ有する複数の櫛歯状部は、それらの先端部が相互に相手側の壁側に対して互い違いに近づくように又は遠ざかるように折り曲げることもできる。
【００２６】
これら（６）や（７）の折り曲げによってハウジングに対するケーブル補治具の取り付け強度が高まり、ケーブル保持具とハウジングとの一体感がでるため、ケーブル保持具をハウジングから外れ難くすることができる。
【００２７】
（８）前記ケーブル保持具はその横断面形状が、対向辺の一端で結合され、他端で開放されたＶ字又はＵ字形であってもよい。
【００２８】
ケーブル保持具の形状をこのようにすると、ケーブル保持具のうち結合されている対向辺の一端側が前記櫛歯状部の折り曲げによってハウジング側に引っ張られるようになり、もって一方の壁のスリット及び他方の壁のスリットに挟み込まれてそれぞれ挟持されている同軸ケーブルの外部導体および外部絶縁体が良導体側に押圧されるようになる。よって、ケーブル保持具と良導体との間の電気的接触力が高まるとともにハウジングに対するケーブル補治具の取り付け強度が高まり、ケーブル保持具とハウジングとの一体感が出て、ケーブル保持具をハウジングから外れ難くできる。
【００２９】
（９）また本発明は、内部導体を内部絶縁体で被覆してなる信号線と、この信号線を被覆する横巻き状又は網状の外部導体と、この外部導体を被覆する外部絶縁体とを含む同軸ケーブルが複数取り付けられる同軸ケーブル用コネクタに使用され、このコネクタのハウジングに前記複数の同軸ケーブルを保持するためのケーブル保持具である。
【００３０】
このケーブル保持具は、前記同軸ケーブルを横断状に交差して前記ハウジングに固定されるとともに、前記ケーブルの延長方向に直列されて対向関係にある一方の壁と他方の壁とを有し、前記一方の壁には前記同軸ケーブルの外部導体を保持する保持部が形成され、前記他方の壁には前記同軸ケーブルの外部絶縁体を保持する保持部が形成されていることを特徴とする。
【００３１】
当該ケーブル保持具をコネクタに適用することで、コネクタと同軸ケーブルとの半田による接続を不要にできるので、同軸ケーブルへの半田上がりに起因する、同軸ケーブルの構成部材である電線の硬化を防止できる。またケーブル保持具をハウジングに固定するのに半田付けが不要であるから、作業性が向上する。
【００３２】
（１０）ケーブル保持具において、前記一方の壁及び前記他方の壁は複数の櫛歯状部を有する櫛形状にされ、これらの櫛歯状部間のスリットを前記保持部としてもよい。
【発明の効果】
【００３３】
本発明のコネクタによれば、コネクタと同軸ケーブルとの半田による接続を不要にしたので、同軸ケーブルが半田上がりにより硬化しない。よって同軸ケーブルは十分に柔軟性を保ったままであるから、携帯機器の組み付け時において同軸ケーブルの引き回しが楽であり、携帯機器内部の狭いスペースであっても同軸ケーブルの配線が容易になる。このため作業性の向上を図れる。また、折り畳み形式の携帯機器のヒンジ部分に同軸ケーブルが位置しても同軸ケーブルは柔軟であるから、携帯機器の開閉に支障が生じることもない。さらに、接触不良を招来する虞もない。さらに、各同軸ケーブルの両側を、保持部材の櫛歯状部で適切な力で保持しているので、複数の同軸ケーブルを引き回しても、同軸ケーブルがコネクタから外れ難い。
【発明を実施するための最良の形態】
【００３４】
以下、本発明の実施の形態（以下、実施形態）を添付した図面を参照して説明する。
図１は、本発明のコネクタ１を想像線で示した折り畳み形式の携帯電話３に適用した状態を示す斜視図であって、複数（例えば４０本）の同軸ケーブル３００（フラットケーブル）が接続されたコネクタ１を携帯電話３に設けた相手方コネクタ５に接続した状態を示す。また、図１において符号４は携帯電話３のヒンジ部分を示す。図２は、相手方コネクタ５にコネクタ１を接続する直前の状態を示す分解斜視図である。
【００３５】
相手方コネクタ５にコネクタ１を接続することで、携帯電話３の液晶画面側３ａと操作ボタン側３ｂとの間では、同軸ケーブル３００を経由して信号が操作ボタン側３ｂ側から液晶画面側３ａに向けて伝達される。なお、図示を省略したが、同軸ケーブル３００の他方の端部にもコネクタ１がとりつけられており、携帯電話３の操作ボタン側３ｂに設けた図示しない相手方コネクタ５と接続されている。
【００３６】
図１〜図４からわかるように、コネクタ１は、コネクタ１の基台となるハウジング７と、このハウジング７に配置され、複数の同軸ケーブル３００をその先端部において横断状に交差する状態で保持するケーブル保持具８，１０と、ケーブル保持具８，１０をハウジング上でカバーするアッパーシェル１２と、ハウジング７に取り付けられる複数の同軸ケーブル３００とを有している。なお、ケーブル保持具８，１０はともに同軸ケーブル３００を保持するものであるが、両者を区分けした方が説明の便がよいこと及びケーブル保持具８は絶縁性を有することから、符号８で示すケーブル保持具のことを絶縁性保持具８ということにし、両者を区別する。
【００３７】
ハウジング７は、合成樹脂その他の絶縁性樹脂でできており、図３〜図６からわかるように、同軸ケーブル３００の先端部３００ａ（図５，図６参照）が取り付けられる本体部１４と、相手方コネクタ５との接合部となる差し込み部１５と、差し込み部１５に保持され同軸ケーブル３００と同数のコンタクト２１とを有する。
【００３８】
本体部１４は、その中央部に上方及び後方に開口する扁平直方体形中空部１６（特に図３参照）を有し、その側壁１７，１７には、中空内に突出する支持柱１８がそれぞれ対向して形成されている。支持柱１８を境に扁平直方体形中空部１６は区分けされる。すなわち、扁平直方体形中空部１６は、差し込み部１５側に位置する前方側中空部１６ａとこれと反対側に位置する後方側中空部１６ｂとに区分けされる。なお、この明細書において前後とは、同軸ケーブル３００をコネクタ１に取り付けた場合における同軸ケーブル３００の延びる方向において差し込み部１５のある側が前であり、これと反対側を後ということにする。また上及び下は、例えば各図に正対した場合における上方側及び下方側を指すものとする。
【００３９】
前方側中空部１６ａと後方側中空部１６ｂとは連通しており、共に上方に開口する。また後方側中空部１６ｂは、差し込み部１５のある側と反対の側にも開口する。扁平直方体形中空部１６の後方側中空部１６ｂに設けられた後方開口から同軸ケーブル３００が後方に延びる。同軸ケーブル３００の先端部はコンタクト２１と接続される。
【００４０】
また、ハウジング７の本体部１４の側部には、掛止溝１４ａ１を有する翼片部１４ａ，１４ａを有する（特に図４参照）。さらに、ハウジング７の本体部１４の上面先端縁両側には、突起１４ｄ，１４ｄが形成されている。掛止溝１４ａ１や突起１４ｄについては後述する。
【００４１】
同軸ケーブル３００をコネクタ１に取り付けるにあたり、同軸ケーブル３００は、その
先端部３００ａの外皮が剥離されて信号線３０６と外部導体３０８とが露出された状態にある（図６参照）。詳しくは、図５や図２０に示すように、同軸ケーブル３００の先端部３００ａは、外部絶縁体３１０及び外部導体３０８が共に剥離されて信号線３０６が露出された部位と、その直後に位置し外部絶縁体３１０が残っている残皮部分３１０’と、残皮部分３１０’の直後に位置し外部絶縁体３１０のみが剥離され外部導体３０８が露出された部位とからなる。なお、外部導体３０８は、多くの場合網状となっており、網状にすることで導線としての強度が図られる。なお、外部導体３０８には、導体を網状にしたのものばかりでなく横巻き状にしたのものもある。
【００４２】
コンタクト２１は、コネクタ１が相手方コネクタ５と嵌合されるにあたり（図２参照）、当該相手方コネクタ５のコンタクト５１（後述）と接触する。またコンタクト２１は、同軸ケーブル３００の先端部３００ａが圧接される圧接部２１ａを有する（例えば図７参照）。圧接部２１ａは、ハウジング７の前記前方側中空部１６ａに位置し、コンタクト２１が同軸ケーブル３００と接続される部分である。圧接部２１ａは、コンタクト２１が同軸ケーブル３００と接続されるにあたり、同軸ケーブル３００の信号線３０６の内部絶縁体３０４を破ってその内部にある内部導体３０２と圧接され、もって、同軸ケーブル３００とコンタクト２１とが導通可能になる。
【００４３】
また、後方側中空部１６ｂの底板部には、貫通穴２２が複数形成されている（図５参照）。貫通穴２２については後述する。
絶縁性保持具８は、前方側中空部１６ａに対応しており（図３及び図４参照）、同軸ケーブル３００の信号線３０６を保持した状態で、前方側中空部１６ａに嵌合される（図５及び図６参照）。絶縁性保持具８が前方側中空部１６ａに嵌合されると、前記のごとくコンタクト２１の圧接部２１ａに同軸ケーブル３００の先端部３００ａの内部導体３０２が圧接される。絶縁性保持具８は、ハウジング７に対向する側（下側）に開口する中空直方体形状をなす。また、絶縁性保持具８の前・後壁８ａ・８ｂ（図３，図６参照）には、同軸ケーブル３００の数と同数で、信号線３０６をそれぞれ保持する複数の保持溝２４が前・後壁８ａ・８ｂで対向して櫛歯状に形成されている（図６参照。但し後壁８ｂに形成の保持溝２４のみ示す）。保持溝２４は、逆Ｕ字形をなし、信号線３０６を挟持する（図１４参照）。
【００４４】
ケーブル保持具１０は、後方側中空部１６ｂに対応しており（図５及び図６参照）、同軸ケーブル３００の先端部３００ａにおける外部導体３０８とその直後に位置する外部絶縁体３１０とを保持した状態で、後方側中空部１６ｂに嵌合される（図４，図５，図７〜図１２参照）。本実施の形態においてケーブル保持具１０は、その横断面形状が逆Ｕ字状で、かつ左右方向に開口したチャネル状の中空体である。なお、左・右とは、例えば図３や図６に正対してその左右の側、換言すれば同軸ケーブル３００の先端部３００ａ側に向かって左側及び右側である。
【００４５】
またケーブル保持具１０は、組み立て時におけるその横断面形状が逆Ｕ字状であるとともに当該逆Ｕ字状にされたことにより対向するようにされた一対の対向壁である前・後壁１０ａ・１０ｂは、櫛形状になるように櫛歯状部２６が複数形成されている。櫛歯状部２６の先端部２６ａは櫛歯状部２６の他の部位２６ｂよりも幅広にされている（図８，図９，図１２参照）。先端部２６ａは、先端側に行くに連れて次第に先細りにされている。なお、例えば図７に示す符号１０ｃは前・後壁１０ａ・１０ｂを繋ぐ壁部であり、上方に位置するので便宜上天井壁ということにする。
【００４６】
さらに、一方の壁である前壁１０ａにおける櫛歯状部２６同士の間のスリット２９に同軸ケーブル３００の外部導体３０８を深く差し込んで挟持し、他方の壁である後壁１０ｂの櫛歯状部２６同士の間のスリット２８に同軸ケーブル３００の外部絶縁体３１０を深く
差し込んで挟持し、当該挟持状態で前記複数の同軸ケーブル３００をハウジング７に一度に保持する。よってスリット２８，２９は同軸ケーブルの外部導体を保持する保持部といえる。これらスリット２８，２９は対向しており、同軸ケーブル３００の数と同数形成されている。
【００４７】
なお、同軸ケーブル３００をケーブル保持具１０に挟持するに当たり、前壁１０ａや後壁１０ｂのスリット２８やスリット２９にそれらスリット２８，２９に対応して差し込まれる同軸ケーブル３００の外部絶縁体３１０や外部導体３０８を必ずしも深く差し込む必要はない。隣り合う櫛歯状部２６の先端部２６ａ同士の間の隙間を同軸ケーブル３００の外部導線８０８や外部絶縁体３１０の外径寸法よりも小さくすることで、櫛歯状部２６の先端部２６ａ同士の間で同軸ケーブル３００の外部導体３０８や外部絶縁体３１０を挟持するようにしてもよい。
【００４８】
また、後方側中空部１６ｂに形成されている前記複数の貫通穴２２は、櫛歯状部２６に対応して形成されている。詳しくは、後方側中空部１６ｂには、その底板部表面に良導性に優れた銅その他の良導体（矩形状の金属板）１９が取り付けられ（図５，図６参照）、当該良導体１９に貫通穴１９ａが形成され、この貫通穴１９ａと同軸になるように貫通穴２２がハウジング７に形成されている。貫通穴２２と貫通穴１９ａとでは、貫通穴２２の方が大きい。
【００４９】
さらに、貫通穴１９ａよりも櫛歯状部２６の先端部２６ａにおける最大径部分の方が大きいが、当該最大径部分は貫通穴２２よりも小さい（図５参照）。ここで良導体１９はハウジング７にオーバモールドにより一体成型しても、ハウジング７に対して嵌め込めるようにしてもよい。
【００５０】
アッパーシェル１２は、同軸ケーブル３００に組み込まれたケーブル保持具１０に当接した状態でハウジング７をカバーするとともに（図４，図７参照）、コネクタ１を相手方コネクタ５に接続後、両者の結合を強固にするためのものである。
【００５１】
アッパーシェル１２は、上壁と、この上壁に対してＬ字形に折り曲げられた左右の側壁とを有しそれ故、前後方向に対して直角方向の断面形状がほぼ逆Ｕ字状をしたシェルである。そしてアッパーシェル１２にハウジング７を入れることで前記上壁及び側壁によりハウジング７の上面，側面及び下面の一部が保持される。また、前記上壁及び側壁には、アッパーシェル１２の内側に折り曲げられた曲げ片１２ａ及び１２ｂが形成されている。
【００５２】
上壁の曲げ片１２ａは、ケーブル保持具１０の天井壁１０ｃに接触し（図７参照）、同軸ケーブル３００の外部導線３０８を流れる電気をアッパーシェル１２に流すためのものである。
左右の側壁の曲げ片１２ｂ，１２ｂ（図４では左側にある曲げ片１２ｂのみ示す。）は、アッパーシェル１２のハウジング７からの抜けを防止するためのものであり、ハウジング７の本体部１４の各翼片部１４ａにその高さ方向に延在された掛止溝１４ａ１と掛止してアッパーシェル１２のハウジング７からの抜けを防止する。
【００５３】
また、アッパーシェル１２の上壁先端部両側、及び側壁のうち前記上壁に平行な部分の先端部両側には、相手方コネクタ５との係止用突起１２ｃ，１２ｃ，１２ｃ，１２ｃ（図面では上壁に形成された係止突起のみ示す。）が形成されている。係止用突起１２ｃについては、相手方コネクタ５についての説明で述べる。
【００５４】
さらにアッパーシェル１２の上壁先端縁両側には、前方に開口し、ハウジング７の本体部１４の突起１４ｄ，１４ｄと嵌合する矩形穴１２ｄ，１２ｄが形成されている（図４参
照）。突起１４ｄと矩形穴１２ｄとが嵌合することで、アッパーシェル１２がハウジング７に必要以上には差し込まれないようになっている（図２，図４参照）。また、突起１４ｄと矩形穴１２ｄとの嵌合により、アッパーシェル１２の曲げ片１２ｂとハウジング７の掛止溝１４ａ１とが好適に掛止される。
【００５５】
次に相手方コネクタ５について述べる。
相手方コネクタ５は、コネクタ１と嵌合するようになっており、基台となる相手方ハウジング４９（図２参照）と、相手方ハウジング４９の全体をカバーし、かつ導電性を有する扁平な中空矩形体であって、携帯電話３内に設けられている基板Ｐに半田付けされた相手方シェル５０と、相手方ハウジング４９に取り付けられ、コネクタ１のコンタクト２１と接触する相手方コンタクト５１とを有する。相手方コンタクト５１とコンタクト２１とは同数設けられている。
【００５６】
相手方シェル５０は、その後方側中央部をその後端縁に沿って矩形に切り取られたごとき形態をしている。そして、相手方シェル５０の上壁・下壁後端両側には、コネクタ１の既述した係止用突起１２ｃ，１２ｃ，１２ｃ，１２ｃ（図面では上壁に形成された２つの係止突起のみ示す。）が掛止される掛止穴５０ｃ、５０ｃ（図面では上壁に形成された２つの係止穴５０ｃと下壁に形成された１つの係止穴５０ｃのみ示す。）が形成されている。係止用突起１２ｃと掛止穴５０ｃとが掛止することで、コネクタ１と相手方コネクタ５との抜けが防止される。
【００５７】
また、相手方シェル５０の左右の側壁には、コネクタ１との嵌合時、コネクタ１のアッパーシェル１２の両側を弾撥的に押圧するバネ片５２がそれぞれ１つずつ設けられている。バネ片５２はこれがアッパーシェル１２に当接することにより、コネクタ１と相手方コネクタ５との間での通電を行う。よってコネクタ１と相手方コネクタ５が嵌合すると、同軸ケーブル３００の外部導線３０８を流れる電気が基板Ｐに落とされ、グランドをとることができる。
【００５８】
さらに相手方シェル５０の左右側壁のうちバネ片５２の前方（相手方シェル５０のコネクタ１と嵌合側と反対方）には、それぞれ相手方シェル５０の中空内に折り曲げられた係止用バネ片５３が設けられている。係止用バネ片５３は、相手方シェル５０の相手方ハウジング４９からの抜けを防止するために相手方ハウジング４９の図示しない係合部とその弾撥力により係合する。
【００５９】
コネクタ１を組み付けるには、図６及び図３からわかるように、まず同軸ケーブル３００を絶縁性保持具８とケーブル保持具１０とで保持する。その後、絶縁性保持具８をハウジング７の前方側中空部１６ａに嵌合して信号線３０６を圧接部２１ａに圧接することと、ケーブル保持具１０を後方側中空部１６ｂに嵌合してケーブル保持具１０の前記櫛歯状部２６の先端部２６ａを良導体１９の貫通穴１９ａ及びハウジング７の貫通穴２２に貫通させ、先端部２６ａの最大径部分が貫通穴１９ａに係止してそこからの抜けを抑制することをほぼ同時に行うことで、同軸ケーブル３００をハウジング７に組み付ける（図５参照）。なお貫通穴１９ａは、先端部２６ａの最大径部分よりもその径が小さいので、櫛歯状部２６の先端部２６ａは、貫通穴１９ａに無理入れされる。
【００６０】
絶縁性保持具８とケーブル保持具１０とを備えた同軸ケーブル３００をハウジング７に組み付けた後は、図４に示すようにアッパーシェル１２を同軸ケーブル３００の後方からハウジング７に近づけて行き、図４や図２からわかるにアッパーシェル１２をハウジング７に組み付けてコネクタ１を形成する。その後、当該コネクタ１と相手方コネクタ５とを嵌合することで、コネクタ１のコンタクト２１と相手方コネクタ５の相手方コンタクト５１とが電気的に接続され、携帯電話３の液晶画面側３ａと操作ボタン側３ｂとの間では同
軸ケーブル３００を経由して信号が操作ボタン側３ｂ側から液晶画面側３ａに向けて伝達されるようになる（図１参照）。なお、既述したように、同軸ケーブル３００の他方の端部にもコネクタ１が取り付けられており、携帯電話３の操作ボタン側３ｂに設けた図示しない相手方コネクタ５と接続されている。
【００６１】
なお、ケーブル保持具１０で挟持された同軸ケーブル３００をハウジング７に固定した時に、ケーブル保持具１０とハウジング７との間で同軸ケーブル３００が圧縮率７０〜９５パーセントで圧縮されるように設定してある。圧縮率が７０〜９５パーセントとは、同軸ケーブル３００がケーブル保持具１０で保持されたときに同軸ケーブル３００に生ずる反力（図１２の矢印Ｕ参照）により、ケーブル保持具１０がハウジング７に固定されるのに好適な状態になる圧縮率を意味する。
【００６２】
次にこのような構成のコネクタ１の作用効果を述べる。
【００６３】
コネクタ１によれば、同軸ケーブル３００をハウジング７にケーブル保持具１０で保持するので、複数の同軸ケーブル３００をハウジング７に取り付けるのに半田を必要としない。よって、同軸ケーブル３００の電線（外部導体、内部導体）が半田上がりにより硬化しない。したがって、同軸ケーブル３００は十分に柔軟性を保ったままであるから、携帯機器３の組み付け時において同軸ケーブル３００の引き回しが楽であり、携帯機器内部の狭いスペースに同軸ケーブル３００を配線するのが容易になる。
【００６４】
また、折り畳み形式の携帯機器のヒンジ部分４に同軸ケーブル３００が位置しても同軸ケーブル３００は柔軟であるから、携帯機器の開閉に支障が生じることもない。
【００６５】
さらに、接触不良を招来する虞もない。ケーブル保持具１０は、前記同軸ケーブル３００を横断状に交差して前記ハウジング７に固定されるとともに、前記ケーブル３００の延長方向に直列されて対向関係にある一方の壁１０ａと他方の壁１０ｂとを有するので、ケーブル３００の長手方向に対して生じる力に対して強い。よって、ケーブル３００の抜け防止に有効である。
【００６６】
また、前記一方の壁１０ａに形成される保持部であるスリット２８は前記同軸ケーブル３００の外部導体３０８を保持し、前記他方の壁１０ｂに形成される保持部であるスリット２９は前記同軸ケーブル３００の外部絶縁体３１０を保持するので、ケーブル保持具１０は、同軸ケーブル３００の電気的接続ばかりでなく機械的接続も行える。よって半田付け不要であり、作業性が向上する。
【００６７】
良導性を有するケーブル保持具１０により同軸ケーブル３００をハウジング７に保持すると、コネクタ１のアッパーシェル１２と相手方コネクタ５の相手方シェル５０とがバネ片５２を介して接触し、グランドが確実に取られる。また全ての同軸ケーブル３００の外部導体３０８がハウジング７の良導体１９に同時に当接され、良導体１９がアッパーシェル１２とともに全同軸ケーブル３００の共通グランドになる。
【００６８】
さらに、ハウジング７に良導体１９を取り付けられており、これに伴いケーブル保持具１０は、良導体１９の貫通穴１９ａに無理入れされるので、ケーブル保持具１０の取り付けがより強固になる。そればかりか、良導体１９とアッパーシェル１２があることにより同軸ケーブル３００が外部の電磁気から保護（シールド）されることにもなる。
【００６９】
加えて、ハウジング７に同軸ケーブル３００を保持するにあたってケーブル保持具１０の櫛歯状部２６を貫通穴１９ａに無理入れして貫通すると、櫛歯状部２６の先端部２６ａが貫通穴２２から抜けでなくなるため、ケーブル保持具１０がハウジング７に対して有効
に取り付けられる。同時に複数の同軸ケーブル３００がコネクタ１に一度に接続される。
【００７０】
そして、ケーブル保持具１０による同軸ケーブル３００の圧縮率を７０〜９５パーセントとしたことにより、ケーブル保持具１０は同軸ケーブル３００を有効に保持するようになる。
【００７１】
前記一方の壁１０ａに係るスリット２８の大きさを同軸ケーブル３００の外部導体３０８の外径寸法以下とし、他方の壁１０ｂに係るスリット２９の大きさを同軸ケーブル３００の外部絶縁体３１０の外径寸法以下とすることも考えられる。スリット２８およびスリット２９が、それぞれ同軸ケーブル３００の外部導体３０８の外径寸法及び外部絶縁体３１０の外径寸法以下であれば、スリット２８と外部導体３０８との嵌め合い及びスリット２９と外部絶縁体３１０との嵌め合いはしまり嵌めになって同軸ケーブル３００が一方の壁１０ａ及び前記他方の壁１０ｂに固定され、その抜けを有効に防止できる。
【００７２】
また櫛歯状部２６が貫通穴１９ａに無理入れされて櫛歯状部２６の先端部２６ａが貫通穴１９ａから抜けでなくなるため、ケーブル保持具１０がハウジング７に対して有効に取り付けられる。同時に複数の同軸ケーブル３００が同軸ケーブル用コネクタ１に一度に接続される。
【００７３】
（応用例）
図１３及び図１４に示すように、ケーブル保持具１０の前記一方の壁１０ａ及び前記他方の壁１０ｂがそれぞれ有する複数の櫛歯状部２６を相互に相手側の壁側に折り曲げることで、ケーブル保持力を高めることもできる。当該折り曲げによってケーブル保持具１０の天井壁１０ｃがハウジング７側に引っ張られるようになり、一方の壁１０ａのスリット２８及び他方の壁１０ｂのスリット２９に挟み込まれてそれぞれ挟持されている同軸ケーブル３００の外部導体３０８および外部絶縁体３１０が良導体１９側に押圧されるようになるからである。また、ケーブル保持具１０と良導体１９との間の電気的接触力も高まる。さらに、ハウジング７に対するケーブル補治具１０の取り付け強度が高まり、ケーブル保持具１０とハウジング７との一体感がでて、ケーブル保持具１０をハウジング７から外れ難くすることができる。
【００７４】
また図１５に示すように、ケーブル保持具１０の前記一方の壁１０ａ及び前記他方の壁１０ｂがそれぞれ有する複数の櫛歯状部２６を相互に相手側の壁側から遠ざかるように折り曲げても同様の効果を奏する。
【００７５】
さらに図１６に示すように、図１３に示す場合と図１５に示す場合の両方の特徴を取り入れて、前記複数の櫛歯状部２６は、相互に相手側の壁側に対して互い違いに近づくように又は遠ざかるように折り曲げたものであってもよい。
このように複数の櫛歯状部２６を折り曲げるようにすることで、ケーブル保持具１０によるケーブル保持力を高めることもできるので、この場合は、櫛歯状部２６の先端部２６ａを既述のように幅広な形状に設ける必要は必ずしもなく、先端部２６ｂと同じ幅形状でも先細り形状でもよい。
【００７６】
尚、本発明は、上述の図示例にのみ限定されるものではなく、本発明の要旨を逸脱しない範囲内において種々変更を加え得ることは勿論である。
例えば、同軸ケーブル３００の外部絶縁体３１０を保持する保持部として、ケーブル保持具１０の一方の壁１０ａ及び他方の壁１０ｂにそれぞれ形成されるスリット２８及び２９を形成したが、これらのスリットの代わりとして一方の壁１０ａ及び他方の壁１０ｂに通し穴を形成し、当該通し穴に同軸ケーブル３００を通して外部絶縁体３１０を保持するような構造であってもよい。要は、外部絶縁体３１０を保持可能な隙間や穴が設けられて
いればよく、その形状や大きさは問わない。
【００７７】
さらに、ケーブル保持具１０の横断面形状は逆Ｕ字形に限られるものではなく逆Ｖ字形であってもよい。すなわち、ケーブル保持具１０はその横断面形状が、対向辺の一端で結合され、他端で開放されたＶ字又はＵ字形とされていればよい。
機能的に述べれば、同軸ケーブルの延長方向に並列され、同軸ケーブルを機械的に固定しかつグランドを取ることが同時にできるものであれば構わない。
【００７８】
そして、本実施の形態では、絶縁性保持具８とケーブル保持具１０とを別部材としているが、オーバモールドその他の方法により両者を一体形成し、同軸ケーブル３００の先端部３００ａの全てを同時に一括して保持してもよい。
【００７９】
加えてこの実施形態に係る同軸ケーブル用コネクタでは、信号線３０６を被覆する多数の電線を横巻き状又は網状にしてなる外部導体を含む同軸ケーブル（網組同軸ケーブル）を対象にした場合を例示したが、外部導体が銅パイプからなるいわゆるセミリジッド構造の同軸ケーブルにも適用できるのは勿論である。
【図面の簡単な説明】
【００８０】
【図１】想像線で示す携帯電話に本発明のコネクタを適用した状態を示す斜視図であって、同軸ケーブルを接続したコネクタを携帯電話に設けた相手方コネクタに接続した状態を示す図である。
【図２】相手方コネクタに本発明のコネクタを接続する直前の状態を示す分解斜視図である。
【図３】本発明のコネクタに係るハウジングに同軸ケーブルを接続する前の状態を示す分解斜視図である。
【図４】ハウジングにケーブル保持具を用いて同軸ケーブルを接続したものにカバー体であるアッパーシェルを被覆する状態を示す図である。
【図５】図４のＶ−Ｖ線斜視図である。
【図６】同軸ケーブルにケーブル保持具を組み付ける前の状態を示す分解斜視図である。
【図７】ハウジングに同軸ケーブルを接続する前の状態を絶縁性補治具を省略して示す要部断面図である。
【図８】図７のＶＩＩＩ−ＶＩＩＩ線断面図である。
【図９】図７のＩＸ−ＩＸ線断面図である。
【図１０】図７に相当しハウジングに同軸ケーブルを接続した後の状態を示す要部断面図である。
【図１１】図１０のＸＩ−ＸＩ線断面図である。
【図１２】図１０のＸＩＩ−ＸＩＩ線断面図である。
【図１３】応用例の一例であってケーブル保持具の一方及び他方の各壁の複数の櫛歯状部を相互に相手側の壁側に折り曲げた状態を示す図である。
【図１４】図５に相当し、ケーブル保持具の一方及び他方の各壁の複数の櫛歯状部を相互に相手側の壁側に折り曲げた状態を示す斜視図である。
【図１５】応用例の他の一例であってケーブル保持具の一方及び他方の各壁の複数の櫛歯状部を相互に相手側の壁側から遠ざかるように折り曲げた状態を示す図である。
【図１６】応用例のさらに他の一例であってケーブル保持具の一方及び他方の各壁の複数の櫛歯状部を相互に相手側の壁側に対して互い違いに近づけられたり遠ざけられたりして折り曲げた状態を示す図である。
【図１７】同軸ケーブルを説明するための斜視図である。
【図１８】図１７の矢印ＸＶＩＩＩ方向から見た図である。
【図１９】同軸ケーブルをコネクタに半田付けする場合についての説明図である。
【図２０】従来のコネクタに同軸ケーブルを取り付けた場合の問題点について説明するためのコネクタの縦断面斜視図である。
【符号の説明】
【００８１】
１  同軸ケーブル用コネクタ
３  携帯電話
３ａ  液晶画面側
３ｂ  操作ボタン側
４  ヒンジ部分
５  相手方コネクタ
７  ハウジング
８  絶縁性保持具
８ａ  後壁
８ｂ  後壁
１０  ケーブル保持具
１０ａ  前壁（一方の壁）
１０ｂ  後壁（他方の壁）
１０ｃ  天井壁
１２  アッパーシェル
１２ａ  曲げ片
１２ｂ  曲げ片
１２ｃ  係止突起
１２ｄ  矩形穴
１４  本体部
１４ａ  翼片部
１４ａ１  掛止溝
１４ｄ  突起
１５  差し込み部
１６  扁平直方体形中空部
１６ａ  前方側中空部
１６ｂ  後方側中空部
１７  側壁
１８  支持柱
１９  良導体
１９ａ  貫通孔
２０  圧接部
２１  コンタクト
２２  貫通穴
２４  保持溝
２６  櫛歯状部
２６ａ  先端部
２６ｂ  櫛歯状部の他の部位
２８  スリット（保持部）
２９  スリット（保持部）
４９  相手方ハウジング
５０  相手方シェル
５０ｃ  掛止穴
５１  相手方コンタクト
５２  バネ片
５３  係止用バネ片
３００  同軸ケーブル
３００ａ  先端部
３０１  コネクタ
３０２  内部導体
３０４  内部絶縁体
３０６  信号線
３０８  外部導体
３１０  外部絶縁体
３１０’  残皮部分
３１２  コンタクト
３１４  金属板（グランドバー）
Ｈ  半田部分
Ｕ  反力
【図１】
2005209613.tif 000003
【図２】
2005209613.tif 000004
【図３】
2005209613.tif 000005
【図４】
2005209613.tif 000006
【図５】
2005209613.tif 000007
【図６】
2005209613.tif 000008
【図７】
2005209613.tif 000009
【図８】
2005209613.tif 000010
【図９】
2005209613.tif 000011
【図１０】
2005209613.tif 000012
【図１１】
2005209613.tif 000013
【図１２】
2005209613.tif 000014
【図１３】
2005209613.tif 000015
【図１４】
2005209613.tif 000016
【図１５】
2005209613.tif 000017
【図１６】
2005209613.tif 000018
【図１７】
2005209613.tif 000019
【図１８】
2005209613.tif 000020
【図１９】
2005209613.tif 000021
【図２０】
2005209613.tif 000022